(57)【要約】【課題】より簡単に、ディスクの両面を再生する。【解決手段】ＣＰＵ１１は、フラッシュメモリ１４に、個々のディスクに対応させて、両面ディスクである旨を設定する。ヘッド部１６は、選択されたディスクの第１の面に記録されているデータを読み出す。ＣＰＵ１１は、選択されたディスクの第１の面に記録されているデータの読み出しが終了した場合、両面ディスクである旨の設定を基に、データを読み出したディスクが両面ディスクであるか否かを判定する。ディスクが両面ディスクであると判定された場合、ヘッド部１６は、ディスクの第２の面に記録されているデータを読み出す。本発明は、ディスクの記録再生装置に適用できる。【選択図】　　　図１
2004055000.tif 000002
【特許請求の範囲】
【請求項１】
複数のディスクを保持し、選択された前記ディスクを再生する再生装置において、
個々の前記ディスクに対応させて、両面ディスクである旨を設定する設定手段と、
選択された前記ディスクの第１の面に記録されているデータを読み出す読み出し手段と、
選択された前記ディスクの第１の面に記録されている前記データの読み出しが終了した場合、両面ディスクである旨の設定を基に、前記データを読み出した前記ディスクが両面ディスクであるか否かを判定する判定手段と
を含み、
前記読み出し手段は、前記ディスクが両面ディスクであると判定された場合、前記ディスクの第２の面に記録されているデータを読み出す
ことを特徴とする再生装置。
【請求項２】
前記読み出し手段が、選択された前記ディスクの第１の面に記録されているデータを読み出そうとする場合、前記読み出し手段に対して、前記ディスクの第１の面を所定の位置に配置するように、前記読み出し手段に選択された前記ディスクを供給する第１の供給手段と、
前記読み出し手段が、選択された前記ディスクの第２の面に記録されているデータを読み出そうとする場合、前記読み出し手段に対して、前記ディスクの第２の面を前記位置に配置するように、前記読み出し手段に選択された前記ディスクを供給する第２の供給手段と
をさらに含むことを特徴とする請求項１に記載の再生装置。
【請求項３】
前記第１の供給手段は、前記読み出し手段に対して、前記第２の供給手段と対向した位置に配置され、
前記第１の供給手段および前記第２の供給手段が、前記読み出し手段に前記ディスクを供給できるように、前記第１の供給手段および前記第２の供給手段に対して、前記ディスクを所定の姿勢で保持するとともに、前記第１の供給手段と前記第２の供給手段とに対して前記ディスクの第１の面と第２の面とが反転するように、前記第１の供給手段および前記第２の供給手段を中心として、前記ディスクを回動させるタンブラをさらに含む
ことを特徴とする請求項２に記載の再生装置。
【請求項４】
複数のディスクを保持し、選択された前記ディスクを再生する再生装置の再生方法において、
個々の前記ディスクに対応させて、両面ディスクである旨を設定する設定ステップと、
選択された前記ディスクの第１の面に記録されているデータを読み出す読み出しステップと、
選択された前記ディスクの第１の面に記録されている前記データの読み出しが終了した場合、両面ディスクである旨の設定を基に、前記データを読み出した前記ディスクが両面ディスクであるか否かを判定する判定ステップと
を含み、
前記読み出しステップにおいては、前記ディスクが両面ディスクであると判定された場合、前記ディスクの第２の面に記録されているデータが読み出される
ことを特徴とする再生方法。
【請求項５】
複数のディスクを保持し、選択された前記ディスクを再生する再生装置の制御用のプログラムであって、
個々の前記ディスクに対応させて、両面ディスクである旨を設定する設定ステップと、
選択された前記ディスクの第１の面に記録されているデータの読み出しを制御する読み出し制御ステップと、
選択された前記ディスクの第１の面に記録されている前記データの読み出しが終了した場合、両面ディスクである旨の設定を基に、前記データを読み出した前記ディスクが両面ディスクであるか否かを判定する判定ステップと
を含み、
前記読み出し制御ステップにおいては、前記ディスクが両面ディスクであると判定された場合、前記ディスクの第２の面に記録されているデータの読み出しが制御される
ことを特徴とするコンピュータが読み取り可能なプログラムが記録されている記録媒体。
【請求項６】
複数のディスクを保持し、選択された前記ディスクを再生する再生装置を制御するコンピュータに、
個々の前記ディスクに対応させて、両面ディスクである旨を設定する設定ステップと、
選択された前記ディスクの第１の面に記録されているデータの読み出しを制御する読み出し制御ステップと、
選択された前記ディスクの第１の面に記録されている前記データの読み出しが終了した場合、両面ディスクである旨の設定を基に、前記データを読み出した前記ディスクが両面ディスクであるか否かを判定する判定ステップと
を含む処理を実行させ、
前記読み出し制御ステップにおいては、前記ディスクが両面ディスクであると判定された場合、前記ディスクの第２の面に記録されているデータの読み出しが制御される
ことを特徴とするプログラム。
【請求項７】
複数のディスクを保持し、選択された前記ディスクにデータを記録する記録装置において、
個々の前記ディスクに対応させて、両面ディスクである旨を設定する設定手段と、
選択された前記ディスクの第１の面に前記データを記録する記録手段と、
選択された前記ディスクの第１の面への前記データの記録が終了した場合、両面ディスクである旨の設定を基に、前記データを記録した前記ディスクが両面ディスクであるか否かを判定する判定手段と
を含み、
前記記録手段は、前記ディスクが両面ディスクであると判定された場合、前記ディスクの第２の面に前記データを記録する
ことを特徴とする記録装置。
【請求項８】
前記記録手段が、選択された前記ディスクの第１の面に前記データを記録しようとする場合、前記記録手段に対して、前記ディスクの第１の面を所定の位置に配置するように、前記記録手段に選択された前記ディスクを供給する第１の供給手段と、
前記記録手段が、選択された前記ディスクの第２の面に前記データを記録しようとする場合、前記記録手段に対して、前記ディスクの第２の面を前記位置に配置するように、前記記録手段に選択された前記ディスクを供給する第２の供給手段と
をさらに含むことを特徴とする請求項７に記載の記録装置。
【請求項９】
前記第１の供給手段は、前記記録手段に対して、前記第２の供給手段と対向した位置に配置され、
前記第１の供給手段および前記第２の供給手段が、前記記録手段に前記ディスクを供給できるように、前記第１の供給手段および前記第２の供給手段に対して、前記ディスクを所定の姿勢で保持するとともに、前記第１の供給手段と前記第２の供給手段とに対して前記ディスクの第１の面と第２の面とが反転するように、前記第１の供給手段および前記第２の供給手段を中心として、前記ディスクを回動させるタンブラをさらに含む
ことを特徴とする請求項８に記載の記録装置。
【請求項１０】
複数のディスクを保持し、選択された前記ディスクにデータを記録する記録方法において、
個々の前記ディスクに対応させて、両面ディスクである旨を設定する設定ステップと、
選択された前記ディスクの第１の面に前記データを記録する記録ステップと、選択された前記ディスクの第１の面への前記データの記録が終了した場合、両面ディスクである旨の設定を基に、前記データを記録した前記ディスクが両面ディスクであるか否かを判定する判定ステップと
を含み、
前記記録ステップにおいて、前記ディスクが両面ディスクであると判定された場合、前記ディスクの第２の面に前記データが記録される
ことを特徴とする記録方法。
【請求項１１】
複数のディスクを保持し、選択された前記ディスクにデータを記録する記録装置の制御用のプログラムであって、
個々の前記ディスクに対応させて、両面ディスクである旨を設定する設定ステップと、
選択された前記ディスクの第１の面への前記データの記録を制御する記録制御ステップと、
選択された前記ディスクの第１の面への前記データの記録が終了した場合、両面ディスクである旨の設定を基に、前記データを記録した前記ディスクが両面ディスクであるか否かを判定する判定ステップと
を含み、
前記記録制御ステップにおいて、前記ディスクが両面ディスクであると判定された場合、前記ディスクの第２の面への前記データの記録が制御される
ことを特徴とするコンピュータが読み取り可能なプログラムが記録されている記録媒体。
【請求項１２】
複数のディスクを保持し、選択された前記ディスクにデータを記録する記録装置を制御するコンピュータに、
個々の前記ディスクに対応させて、両面ディスクである旨を設定する設定ステップと、
選択された前記ディスクの第１の面への前記データの記録を制御する記録制御ステップと、
選択された前記ディスクの第１の面への前記データの記録が終了した場合、両面ディスクである旨の設定を基に、前記データを記録した前記ディスクが両面ディスクであるか否かを判定する判定ステップと
を実行させ、
前記記録制御ステップにおいて、前記ディスクが両面ディスクであると判定された場合、前記ディスクの第２の面への前記データの記録が制御される
ことを特徴とするプログラム。
【発明の詳細な説明】
【０００１】
【発明の属する技術分野】
本発明は、再生装置および方法、記録装置および方法、記録媒体、並びにプログラムに関し、特に、ディスクを再生するか、またはディスクにデータを記録する再生装置および方法、記録装置および方法、記録媒体、並びにプログラムに関する。
【０００２】
【従来の技術】
音声または画像などのデータを記録したＤＶＤ（Ｄｉｇｉｔａｌ　Ｖｅｒｓａｔｉｌｅ　Ｄｉｓｃ）などのディスクを再生する再生装置が利用されている。ＤＶＤは、片面にデータが記録されているものと、両面にデータが記録されているものとがある。両面にデータが記録されているＤＶＤを再生するとき、使用者が、再生装置を操作して、再生装置にトレイを開かせ、使用者がＤＶＤを裏返しにし、再度、再生を実行させていた。
【０００３】
また、いわゆるチェンジャー機能を有する一部の再生装置は、使用者により特定のボタンが押されたとき、ターンテーブル（タンブラ）を１８０度反転させ、ＤＶＤを反転させることができる。
【０００４】
【発明が解決しようとする課題】
しかしながら、再生しているディスクが両面ディスクであるかどうか、そのたびに使用者がチェックするか、または、いちいち再生装置を操作して、反転させてみるなど、両面ディスクの両面の再生には、面倒な操作が必要であった。
【０００５】
本発明はこのような状況に鑑みてなされたものであり、より簡単に、ディスクの両面を再生するか、またはディスクの両面にデータを記録することができるようにすることを目的とする。
【０００６】
【課題を解決するための手段】
本発明の再生装置は、個々のディスクに対応させて、両面ディスクである旨を設定する設定手段と、選択されたディスクの第１の面に記録されているデータを読み出す読み出し手段と、選択されたディスクの第１の面に記録されているデータの読み出しが終了した場合、両面ディスクである旨の設定を基に、データを読み出したディスクが両面ディスクであるか否かを判定する判定手段とを含み、読み出し手段は、ディスクが両面ディスクであると判定された場合、ディスクの第２の面に記録されているデータを読み出すことを特徴とする。
【０００７】
再生装置は、読み出し手段が、選択されたディスクの第１の面に記録されているデータを読み出そうとする場合、読み出し手段に対して、ディスクの第１の面を所定の位置に配置するように、読み出し手段に選択されたディスクを供給する第１の供給手段と、読み出し手段が、選択されたディスクの第２の面に記録されているデータを読み出そうとする場合、読み出し手段に対して、ディスクの第２の面を位置に配置するように、読み出し手段に選択されたディスクを供給する第２の供給手段とをさらに設けることができる。
【０００８】
再生装置は、第１の供給手段を、読み出し手段に対して、第２の供給手段と対向した位置に配置し、第１の供給手段および第２の供給手段が、読み出し手段にディスクを供給できるように、第１の供給手段および第２の供給手段に対して、ディスクを所定の姿勢で保持するとともに、第１の供給手段と第２の供給手段とに対してディスクの第１の面と第２の面とが反転するように、第１の供給手段および第２の供給手段を中心として、ディスクを回動させるタンブラをさらに設けることができる。
【０００９】
本発明の再生方法は、個々のディスクに対応させて、両面ディスクである旨を設定する設定ステップと、選択されたディスクの第１の面に記録されているデータを読み出す読み出しステップと、選択されたディスクの第１の面に記録されているデータの読み出しが終了した場合、両面ディスクである旨の設定を基に、データを読み出したディスクが両面ディスクであるか否かを判定する判定ステップとを含み、読み出しステップにおいては、ディスクが両面ディスクであると判定された場合、ディスクの第２の面に記録されているデータが読み出されることを特徴とする。
【００１０】
本発明の第１の記録媒体のプログラムは、個々のディスクに対応させて、両面ディスクである旨を設定する設定ステップと、選択されたディスクの第１の面に記録されているデータの読み出しを制御する読み出し制御ステップと、選択されたディスクの第１の面に記録されているデータの読み出しが終了した場合、両面ディスクである旨の設定を基に、データを読み出したディスクが両面ディスクであるか否かを判定する判定ステップとを含み、読み出し制御ステップにおいては、ディスクが両面ディスクであると判定された場合、ディスクの第２の面に記録されているデータの読み出しが制御されることを特徴とする。
【００１１】
本発明の第１のプログラムは、コンピュータに、個々のディスクに対応させて、両面ディスクである旨を設定する設定ステップと、選択されたディスクの第１の面に記録されているデータの読み出しを制御する読み出し制御ステップと、選択されたディスクの第１の面に記録されているデータの読み出しが終了した場合、両面ディスクである旨の設定を基に、データを読み出したディスクが両面ディスクであるか否かを判定する判定ステップとを含む処理を実行させ、読み出し制御ステップにおいては、ディスクが両面ディスクであると判定された場合、ディスクの第２の面に記録されているデータの読み出しが制御されることを特徴とする。
【００１２】
本発明の記録装置は、個々のディスクに対応させて、両面ディスクである旨を設定する設定手段と、選択されたディスクの第１の面にデータを記録する記録手段と、選択されたディスクの第１の面へのデータの記録が終了した場合、両面ディスクである旨の設定を基に、データを記録したディスクが両面ディスクであるか否かを判定する判定手段とを含み、記録手段は、ディスクが両面ディスクであると判定された場合、ディスクの第２の面にデータを記録することを特徴とする。
【００１３】
記録装置は、記録手段が、選択されたディスクの第１の面にデータを記録しようとする場合、記録手段に対して、ディスクの第１の面を所定の位置に配置するように、記録手段に選択されたディスクを供給する第１の供給手段と、記録手段が、選択されたディスクの第２の面にデータを記録しようとする場合、記録手段に対して、ディスクの第２の面を位置に配置するように、記録手段に選択されたディスクを供給する第２の供給手段とをさらに設けることができる。
【００１４】
記録装置は、第１の供給手段を、記録手段に対して、第２の供給手段と対向した位置に配置し、第１の供給手段および第２の供給手段が、記録手段にディスクを供給できるように、第１の供給手段および第２の供給手段に対して、ディスクを所定の姿勢で保持するとともに、第１の供給手段と第２の供給手段とに対してディスクの第１の面と第２の面とが反転するように、第１の供給手段および第２の供給手段を中心として、ディスクを回動させるタンブラをさらに設けることができる。
【００１５】
本発明の記録方法は、個々のディスクに対応させて、両面ディスクである旨を設定する設定ステップと、選択されたディスクの第１の面にデータを記録する記録ステップと、選択されたディスクの第１の面へのデータの記録が終了した場合、両面ディスクである旨の設定を基に、データを記録したディスクが両面ディスクであるか否かを判定する判定ステップとを含み、記録ステップにおいて、ディスクが両面ディスクであると判定された場合、ディスクの第２の面にデータが記録されることを特徴とする。
【００１６】
本発明の第２の記録媒体のプログラムは、個々のディスクに対応させて、両面ディスクである旨を設定する設定ステップと、選択されたディスクの第１の面へのデータの記録を制御する記録制御ステップと、選択されたディスクの第１の面へのデータの記録が終了した場合、両面ディスクである旨の設定を基に、データを記録したディスクが両面ディスクであるか否かを判定する判定ステップとを含み、記録制御ステップにおいて、ディスクが両面ディスクであると判定された場合、ディスクの第２の面へのデータの記録が制御されることを特徴とする。
【００１７】
本発明の第２のプログラムは、コンピュータに、個々のディスクに対応させて、両面ディスクである旨を設定する設定ステップと、選択されたディスクの第１の面へのデータの記録を制御する記録制御ステップと、選択されたディスクの第１の面へのデータの記録が終了した場合、両面ディスクである旨の設定を基に、データを記録したディスクが両面ディスクであるか否かを判定する判定ステップとを実行させ、記録制御ステップにおいて、ディスクが両面ディスクであると判定された場合、ディスクの第２の面へのデータの記録が制御されることを特徴とする。
【００１８】
本発明の再生装置および方法、第１の記録媒体、並びに第１のプログラムにおいては、個々のディスクに対応させて、両面ディスクである旨が設定され、選択されたディスクの第１の面に記録されているデータが読み出される。選択されたディスクの第１の面に記録されているデータの読み出しが終了した場合、両面ディスクである旨の設定を基に、データを読み出したディスクが両面ディスクであるか否かが判定され、ディスクが両面ディスクであると判定された場合、ディスクの第２の面に記録されているデータが読み出される。
【００１９】
再生装置は、独立した装置であっても良いし、記録再生装置の再生の処理を行うブロックであってもよい。
【００２０】
本発明の記録装置および方法、第２の記録媒体、並びに第２のプログラムにおいては、個々のディスクに対応させて、両面ディスクである旨が設定され、選択されたディスクの第１の面にデータが記録される。選択されたディスクの第１の面へのデータの記録が終了した場合、両面ディスクである旨の設定を基に、データを記録したディスクが両面ディスクであるか否かが判定され、ディスクが両面ディスクであると判定された場合、ディスクの第２の面にデータが記録される。
【００２１】
記録装置は、独立した装置であっても良いし、記録再生装置の記録の処理を行うブロックであってもよい。
【００２２】
【発明の実施の形態】
図１は、本発明に係る記録再生装置の一実施の形態の構成を説明するブロック図である。ＣＰＵ（Ｃｅｎｔｒａｌ　Ｐｒｏｃｅｓｓｉｎｇ　Ｕｎｉｔ）１１は、制御プログラムを実際に実行し、記録再生装置全体を制御する。ＲＯＭ（Ｒｅａｄ−ｏｎｌｙ　Ｍｅｍｏｒｙ）１２は、一般的には、ＣＰＵ１１が使用するプログラムや演算用のパラメータのうちの基本的に固定のデータを格納する。ＲＡＭ（Ｒａｎｄｏｍ−Ａｃｃｅｓｓ　Ｍｅｍｏｒｙ）１３は、ＣＰＵ１１の実行において使用するプログラムや、その実行において適宜変化するパラメータを格納する。
【００２３】
フラッシュメモリ１４は、不揮発性メモリであって、使用者の設定を記憶するためのメモリである。フラッシュメモリ１４は、例えば、言語、画質調整、または音声などの設定を初期設定から変更したとき、電源を切っても、言語、画質調整、または音声などの設定を記憶する。
【００２４】
なお、ＣＰＵ１１乃至フラッシュメモリ１４は、個別の装置として設けてもよく、また、一体型の、いわゆるエンベデットプロセッサとして設けるようにしてもよい。
【００２５】
これらはバス１５により相互に接続されている。
【００２６】
ヘッド部１６は、ＣＰＵ１１の制御の基に、装着されているＤＶＤ、またはＣＤなどのディスクから、画像または音声などのデータを読み取る。ヘッド部１６は、読み取ったデータを再生処理部２０に供給する。
【００２７】
また、ヘッド部１６は、ＣＰＵ１１の制御の基に、ＣＰＵ１１から供給されたデータを、装着されているディスクに書き込む。
【００２８】
ローディング部１７は、ＣＰＵ１１の制御の基に、ＤＶＤの一方の面を読み取ることができるように、ＤＶＤをヘッド部１６に装着する。例えば、ローディング部１７は、ＤＶＤのいわゆるＡ面を読み取ることができるように、ＤＶＤをヘッド部１６に装着する。
【００２９】
ローディング部１８は、ＣＰＵ１１の制御の基に、ＤＶＤの他の面を読み取ることができるように、ＤＶＤをヘッド部１６に装着する。例えば、ローディング部１８は、ＤＶＤのＡ面の反対側の面である、いわゆるＢ面を読み取ることができるように、ＤＶＤをヘッド部１６に装着する。
【００３０】
タンブラ駆動部１９は、１または複数のＤＶＤ、またはＣＤが装着されるタンブラ（ターンテーブル）を駆動する。タンブラの詳細は、後述する。
【００３１】
再生処理部２０は、ヘッド部１６から供給されたデータに、例えば、復号などの処理を適用して、音声または画像などを再生する。再生処理部２０は、再生した音声または画像を出力する。
【００３２】
入力部２１は、スイッチ、ボタン、または図示せぬリモートコントローラが発光した赤外線などの光を受信する受信装置などからなり、使用者の操作に対応した信号を生成し、生成した信号をバス１５を介してＣＰＵ１１に供給する。
【００３３】
表示部２２は、液晶表示装置、またはＬＥＤ（Ｌｉｇｈｔ　Ｅｍｉｔｔｉｎｇ　Ｄｉｏｄｅ）表示装置などからなり、ＣＰＵ１１の制御の基に、記録再生装置の状態などを表示する。また、表示部２２は、ＣＰＵ１１の制御の基に、ディスクが両面であることを設定する画面を表示する。
【００３４】
ドライブ２３は、装着されている磁気ディスク５１、光ディスク５２、光磁気ディスク５３、または半導体メモリ５４に記録されているデータまたはプログラムを読み出して、そのデータまたはプログラムを、バス１５を介して接続されているＲＡＭ１３に供給する。
【００３５】
これらのヘッド部１６乃至ドライブ２３は、バス１５を介して、相互に接続されると共に、ＣＰＵ１１に接続されている。
【００３６】
次に、図２乃至図４を参照して、ヘッド部１６、ローディング部１７、およびローディング部１８、並びにタンブラの構成を説明する。
【００３７】
ローディング部１７は、ヘッド部１６を基準に、ローディング部１８と対向する位置に配置されている。
【００３８】
ヘッド部１６の外側には、ドーナッツ状のタンブラ７１が配置されている。タンブラ７１は、タンブラ駆動部１９により、図２中の時計方向または反時計方向に回動するように構成されている。
【００３９】
タンブラ７１には、Ｎ個のスロット７２−１乃至スロット７２−Ｎが設けられている。スロット７２−１乃至スロット７２−Ｎのそれぞれは、それぞれ１つのディスクを立てて装着できるように構成されている。すなわち、タンブラ７１には、Ｎ枚のディスクを装着することができる。
【００４０】
以下、スロット７２−１乃至スロット７２−Ｎを個々に区別する必要がないとき、単に、スロット７２と称する。
【００４１】
ローディング部１７から、ディスクをヘッド部１６に供給するとき、図３に示すように、ローディング部１７に対応する位置にあるスロット７２（例えば、図２に示す場合におけるスロット７２−１）に装着されているディスク８１が、ローディング部１７からヘッド部１６に供給される。
【００４２】
ヘッド部１６は、ローディング部１７から供給されたディスク８１から、例えば、図２中、ディスク８１の左側の面に記録されているデータを読み出す。
【００４３】
ローディング部１８から、ディスクをヘッド部１６に供給するとき、図４に示すように、スロット７２−１の反対側に位置するスロット７２（例えば、図２に示す場合におけるスロット７２−（（Ｎ／２）＋１））に装着されているディスク８１が、ローディング部１７からヘッド部１６に供給される。
【００４４】
ヘッド部１６は、ローディング部１８から供給されたディスク８１から、例えば、図２中、ディスク８１の左側の面に記録されているデータを読み出す。
【００４５】
記録再生装置が、ディスク８１の両面のデータを読み出すとき、始めに、図３に示すように、ローディング部１７は、例えば、スロット７２−１に装着されているディスク８１を、ヘッド部１６に供給し、ヘッド部１６は、図２中、ディスク８１の左側の面に記録されているデータを読み出す。ディスク８１の左側の面に記録されている全てのデータを読み出したのち、ローディング部１７は、ヘッド部１６から、タンブラ７１にディスク８１を戻す。タンブラ７１に戻されたディスク８１は、再度、スロット７２−１に装着される。
【００４６】
次に、タンブラ駆動部１９により、タンブラ７１は、例えば、時計方向に１８０度回動される。これにより、図４に示すように、スロット７２−１は、図２中のスロット７２−（（Ｎ／２）＋１）の位置に配置されることになる。
【００４７】
ローディング部１８は、スロット７２−１に装着されているディスク８１を、ヘッド部１６に供給し、ヘッド部１６は、図２中、ディスク８１の左側の面に記録されているデータを読み出す。
【００４８】
ローディング部１８からディスク８１が供給されたとき、ヘッド部１６が読み出すデータが記録されている、ディスク８１の面は、ローディング部１７からディスク８１が供給されたとき、ヘッド部１６が読み出すデータが記録されている、ディスク８１の面（例えば、Ａ面）と、反対側の面（例えば、Ｂ面）である。
【００４９】
すなわち、ヘッド部１６には、ディスク８１が反転して供給されることになる。
【００５０】
このようにして、記録再生装置は、ディスク８１の両面のデータを読み出すことができる
【００５１】
図５は、制御プログラムを実行するＣＰＵ１１による、設定の処理を説明するフローチャートである。
【００５２】
ステップＳ１１において、制御プログラムは、装着されたディスク８１が両面ディスクである旨を設定するか否かを表示部２２に表示する。制御プログラムは、入力部２１からの、使用者のスイッチまたはボタンなどの操作に対応した信号を基に、両面ディスクであるか否かを判定する。
【００５３】
ステップＳ１１において、装着されたディスク８１が両面ディスクであると判定された場合、ステップＳ１２に進み、制御プログラムは、表示部２２に、両面ディスクであることを設定する画面を表示する。
【００５４】
この表示は、両面ディスクである旨を設定するために、入力部２１の所定のスイッチまたはボタンなどを操作する旨を使用者に伝達するか、両面ディスクであることを確認するものである。
【００５５】
ステップＳ１３において、制御プログラムは、入力部２１からの信号から、両面ディスクの設定を取得する。例えば、使用者の入力部２１の操作に対応して、ディスク８１が片面ディスクであるときの、第１のボタンに対応する信号から、片面ディスクである旨の設定が取得され、ディスク８１が両面ディスクであるときの、第２のボタンに対応する信号から、両面ディスクである旨の設定が取得される。
【００５６】
また、例えば、使用者の入力部２１の操作に対応して、入力部２１が何ら操作されないとき、両面ディスクである旨の設定が取得され、所定のボタンが操作されたとき、ボタンに対応する信号から、片面ディスクである旨の設定が取得される。
【００５７】
ステップＳ１４において、制御プログラムは、スロット７２に対応させて、両面ディスクであることをフラッシュメモリ１４に記憶する。ステップＳ１４において、片面ディスクである旨の設定が取得された場合、制御プログラムは、スロット７２に対応させて、片面ディスクであることをフラッシュメモリ１４に記憶する。
【００５８】
図６は、ステップＳ１４の処理により記憶される、スロット７２に対応させて、両面ディスクであるか否かを示す設定のテーブルの例を示す図である。
【００５９】
図６のテーブルにおいて、スロット番号の１は、スロット７２−１に対応し、スロット番号の２は、スロット７２−２に対応し、スロット番号の３は、スロット７２−３に対応する。
【００６０】
このように、スロット番号の１乃至Ｎは、それぞれ、スロット７２−１乃至７２−Ｎのそれぞれに対応する。
【００６１】
図６のテーブルの右側は、スロット番号に対応するスロット７２に装着されたディスク８１が、両面であるか否かを示すデータ、またはスロット７２にディスク８１が装着されていないことを示すデータである。
【００６２】
図６のテーブルの右側のＴは、両面ディスクであることを示し、Ｆは、両面ディスクでないこと、すなわち、片面ディスクであることを示す。図６のテーブルの右側のＸは、対応するスロット７２にディスク８１が装着されていないことを示す。
【００６３】
すなわち、例えば、スロット番号１に対応するＴは、スロット７２−１に装着されているディスク８１が、両面ディスクであることを示す。同様に、スロット番号２に対応するＴは、スロット７２−２に装着されているディスク８１が、両面ディスクであることを示す。
【００６４】
スロット番号３に対応するＦは、スロット７２−３に装着されているディスク８１が、片面ディスクであることを示す。同様に、スロット番号４に対応するＦは、スロット７２−４に装着されているディスク８１が、片面ディスクであることを示す。
【００６５】
スロット番号Ｎ−１に対応して、Ｘが記憶されているので、スロット７２−（Ｎ−１）にディスク８１が装着されていないことがわかる。同様に、スロット番号Ｎに対応して、Ｘが記憶されているので、スロット７２−Ｎにはディスク８１が装着されていない。
【００６６】
ステップＳ１５において、制御プログラムは、記録再生装置の制御用の通常の画面を表示する。
【００６７】
ステップＳ１６において、制御プログラムは、通常の制御モードに戻し、処理は終了する。
【００６８】
ステップＳ１１において、装着されたディスク８１が両面ディスクでないと判定された場合、制御プログラムは、スロット７２に対応させて、片面ディスクであることをフラッシュメモリ１４に記憶させ、ステップＳ１６に進み、モードが、通常の制御モードに戻り、そのまま処理は終了する。
【００６９】
このように、制御プログラムは、スロット７２に装着されたディスク８１に対応して、両面ディスクであるか否かを設定することができる。
【００７０】
次に、図７のフローチャートを参照して、制御プログラムを実行するＣＰＵ１１による、再生の処理を説明する。
【００７１】
ステップＳ３１において、制御プログラムは、入力部１１からの信号を基に、スロット７２−１乃至７２−Ｎのいずれかの選択に対応して、タンブラ駆動部１９を制御し、タンブラ７１を回動させる。選択されたスロット７２のディスク８１を、ローディング部１７からヘッド部１６に供給できる位置に、タンブラ７１は、回動され、配置される。
【００７２】
ステップＳ３２において、制御プログラムは、ローディング部１７から、選択されたスロット７２に装着されているディスク８１をヘッド部１６にローディングさせる。すなわち、ローディング部１７は、選択されたスロット７２に装着されているディスク８１をヘッド部１６に供給する。
【００７３】
ステップＳ３３において、制御プログラムは、ヘッド部１６に、ローディング部１７から供給されたディスク８１の第１の面、例えば、いわゆるＡ面に記録されているデータを読み出させ、読み出したデータを再生処理部２０に再生させる。
【００７４】
再生が終了したとき、ステップＳ３４において、制御プログラムは、ローディング部１７に、ヘッド部１６に装着されているディスク８１を、スロット７２に戻させる。ステップＳ３２およびステップＳ３３の処理において、タンブラ７１は、停止しているので、ディスク８１は、ローディングされたスロット７２に戻る。
【００７５】
ステップＳ３５において、制御プログラムは、フラッシュメモリ１４から、例えば、図６を参照して説明したテーブルに記録されている、スロット７２に戻したディスクの両面ディスクの設定を読み出す。
【００７６】
ステップＳ３６において、制御プログラムは、読み出した両面ディスクの設定を基に、スロット７２に戻したディスク８１が両面ディスクであるか否かを判定し、両面ディスクであると判定された場合、第２の面を再生するために、ステップＳ３７に進み、ローディング部１８から、選択されているディスク８１をローディングできるように、タンブラ駆動部１９に、タンブラ７１を回動させる。
【００７７】
ステップＳ３８において、制御プログラムは、ローディング部１８から、選択されたスロット７２に装着されているディスク８１をローディングさせる。すなわち、ローディング部１８は、選択されたスロット７２に装着されているディスク８１をヘッド部１６に供給する。ステップ３８において、ディスク８１は、ステップＳ３２の処理を基準とすると、反転されてヘッド部１６に装着される。
【００７８】
ステップＳ３９において、制御プログラムは、ヘッド部１６に、ローディング部１８から供給されたディスク８１の第２の面（第１の面とは反対側の面）、例えば、いわゆるＢ面に記録されているデータを読み出させ、読み出したデータを再生処理部２０に再生させる。
【００７９】
再生が終了したとき、ステップＳ４０において、制御プログラムは、ローディング部１８に、ヘッド部１６に装着されているディスク８１を、スロット７２に戻させる。ステップＳ３８およびステップＳ３９の処理において、タンブラ７１は、停止しているので、ディスク８１は、ステップＳ３８の処理で、ローディングされたスロット７２に戻る。
【００８０】
ステップＳ４１において、制御プログラムは、タンブラ駆動部１９に、ローディング部１７から、選択されたスロット７２のディスク８１をローディングできるように、タンブラ７１を回動させる。
【００８１】
ステップＳ４２において、制御プログラムは、タンブラ駆動部１９に、次のディスク８１をローディングできるように、タンブラ７１を回動させ、ステップＳ３２に戻り、再生の処理を繰り返す。
【００８２】
ステップＳ３６において、両面ディスクでないと判定された場合、第２の面を再生することはできないので、ステップＳ４２に進み、次のディスク８１を再生する。
【００８３】
このように、記録再生装置は、両面ディスクである旨の設定を基に、より簡単に、ディスクの両面を再生できる。
【００８４】
記録の処理は、ステップＳ３３およびステップＳ３９において、ディスク８１にデータを記録する点を除き、図７のフローチャートに示す処理と同様なので、その説明は省略する。
【００８５】
記録再生装置は、両面ディスクである旨の設定を基に、より簡単に、ディスクの両面にデータを記録できる。
【００８６】
このように、選択されたディスクに記録されているデータを読み出すようにした場合には、ディスクを再生することができる。
【００８７】
また、個々のディスクに対応させて、両面ディスクである旨を設定し、選択されたディスクの第１の面に記録されているデータを読み出し、選択されたディスクの第１の面に記録されているデータの読み出しが終了した場合、両面ディスクである旨の設定を基に、データを読み出したディスクが両面ディスクであるか否かを判定し、ディスクが両面ディスクであると判定された場合、ディスクの第２の面に記録されているデータを読み出すようにした場合には、より簡単に、ディスクの両面を再生することができる。
【００８８】
選択されたディスクにデータを記録するようにした場合には、ディスクにデータを記録することができる。
【００８９】
また、個々のディスクに対応させて、両面ディスクである旨を設定し、選択されたディスクの第１の面にデータを記録し、選択されたディスクの第１の面へのデータの記録が終了した場合、両面ディスクである旨の設定を基に、データを記録したディスクが両面ディスクであるか否かを判定し、ディスクが両面ディスクであると判定された場合、ディスクの第２の面にデータを記録するようにした場合には、より簡単に、ディスクの両面にデータを記録することができる。
【００９０】
また、両面ディスクである旨の設定は、フラッシュメモリ１４に記憶されているので、電源を切断した後であっても、本発明に係る記録再生装置は、両面ディスクであるディスク８１を再生する度に、自動的に両面を再生することができる。
【００９１】
なお、ディスク８１は、ＤＶＤに限らず、ＣＤ（Ｃｏｍｐａｃｔ　Ｄｉｓｃ），ＶＣＤ（Ｖｉｄｅｏ−ＣＤ），ＤＶＤ−Ｒ（Ｄｉｇｉｔａｌ　Ｖｅｒｓａｔｉｌｅ　Ｄｉｓｃ−Ｒｅｃｏｒｄａｂｌｅ）、またはＤＶＤ−ＲＡＭ（Ｄｉｇｉｔａｌ　Ｖｅｒｓａｔｉｌｅ　Ｄｉｓｃ−ＲＡＭ）など他の種類のディスクであってもよく、本発明は、ディスクの種類に限定されるものではない。
【００９２】
また、ディスクのユーザ情報を記録する領域に、ディスクが両面ディスクであるか否かを記録し、この情報を基に、ディスクの両面を再生するようにしてもよい。
【００９３】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００９４】
この記録媒体は、図１に示すように、コンピュータとは別に、ユーザにプログラムを提供するために配布される、プログラムが記録されている磁気ディスク５１（フレキシブルディスクを含む）、光ディスク５２（ＣＤ−ＲＯＭ（Ｃｏｍｐａｃｔ　Ｄｉｓｃ−Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）を含む）、光磁気ディスク５３（ＭＤ（Ｍｉｎｉ−Ｄｉｓｃ）（商標）を含む）、若しくは半導体メモリ５４などよりなるパッケージメディアにより構成されるだけでなく、コンピュータに予め組み込まれた状態でユーザに提供される、プログラムが記録されているＲＯＭ１２や、図示せぬハードディスクなどで構成される。
【００９５】
なお、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【００９６】
また、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【００９７】
【発明の効果】
以上のように、第１の本発明によれば、ディスクを再生することができる。
【００９８】
また、第１の本発明によれば、より簡単に、ディスクの両面を再生することができるようになる。
【００９９】
第２の本発明によれば、ディスクにデータを記録することができる。
【０１００】
また、第２の本発明によれば、より簡単に、ディスクの両面にデータを記録することができるようになる。
【図面の簡単な説明】
【図１】本発明に係る記録再生装置の一実施の形態の構成を説明するブロック図である。
【図２】ヘッド部１６、ローディング部１７、およびローディング部１８、並びにタンブラの構成を説明する図である。
【図３】ヘッド部１６、ローディング部１７、およびローディング部１８、並びにタンブラの構成を説明する図である。
【図４】ヘッド部１６、ローディング部１７、およびローディング部１８、並びにタンブラの構成を説明する図である。
【図５】設定の処理を説明するフローチャートである。
【図６】スロット７２に対応させて、両面ディスクであるか否かを示す設定のテーブルの例を示す図である。
【図７】制御プログラムを実行するＣＰＵ１１による、再生の処理を説明するフローチャートである。
【符号の説明】
１１　ＣＰＵ，　１２　ＲＯＭ，　１３　ＲＡＭ，　１４　フラッシュメモリ，　１６ヘッド部，　１７　ローディング部，　１８　ローディング部，　１９　タンブラ駆動部，　２０　再生処理部，　２１　入力部，　２２　表示部，　２３　ドライブ，　５１　磁気ディスク，　５２　光ディスク，　５３　光磁気ディスク，　５４　半導体メモリ，　７１　タンブラ，　７２−１乃至７２−Ｎ　スロット
【図１】
2004055000.tif 000003
【図２】
2004055000.tif 000004
【図３】
2004055000.tif 000005
【図４】
2004055000.tif 000006
【図５】
2004055000.tif 000007
【図６】
2004055000.tif 000008
【図７】
2004055000.tif 000009